(57)【要約】      （修正有）【課題】屋内空間部を間仕切り又は防球用として使用するネット体又はシート体をスムーズに吊り張り及び収納移動することすることができ、且つその収納移動等が容易で安全に移動できる屋内空間部用のネット又はシート、及び屋内空間部用のネット又はシートの移動方法を提供する。【解決手段】天井面より床面側への吊り張り面の形状に応じて形成されるネット体又はシート体２と、吊り張り用ロープ体３とから構成される屋内空間部用のネット又はシート１において、吊り張り用ロープ体３が高さ位置の相違する天井面の傾斜角度に応じて架け渡され、且つネット体又はシート体２が、高さ位置の相違する天井面の傾斜角度に応じて形成された一枚のネット本体又はシート本体２Ａと、ネット体又はシート体２に設けられ、吊り張り用ロープ体３に沿って側面側に収納移動した際、ネット本体又はシート本体の下端側を束ねる束ね手段とから構成されている。【選択図】図１
2020151460.tif 000002
【特許請求の範囲】
【請求項１】
屋内空間部に間仕切り用又は防球用を目的として吊り張りすべく天井面より床面側への吊り張り面の形状に応じて形成されるネット体又はシート体と、該ネット体又はシート体の上端側を吊り張りする吊り張り用ロープ体とから構成される屋内空間部用のネット又はシートにおいて、前記吊り張り用ロープ体が高さ位置の相違する天井面の傾斜角度に応じて架け渡され、且つ前記ネット体又はシート体が、その上端側を高さ位置の相違する天井面の傾斜角度に応じて形成された一枚のネット本体又はシート本体と、前記ネット本体又はシート本体に設けられ移動時に前記ネット本体又はシート本体の上端側の高さ位置の相違によりその下端側に生じる前記ネット本体又はシート本体の弛み部分を束ねる束ね手段とから構成されていることを特徴とする屋内空間部用のネット又はシート。
【請求項２】
屋内空間部を間仕切り又は防球すべく天井面より床面側への吊り張り面の形状に応じてネット体又はシート体を形成し、前記ネット体又はシート体の上端側に沿って吊り張り用ロープ体を架け渡した後、前記ネット体又はシート体を移動することで収納する屋内空間部用のネット又はシートの移動方法において、前記ネット体又はシート体を高さ位置の相違する天井面の傾斜角度に応じて一枚のネット本体又はシート本体より形成し、前記天井面の傾斜角度に応じて吊り張り用ロープ体を架け渡すとともに前記ネット体又はシート体を前記吊り張り用ロープ体に沿って移動自在に吊り張りした後、前記ネット体又はシート体の上端側に高さ位置の相違よりその下端側に生じる弛み部分を束ねて調整しながら前記吊り張り用ロープ体に沿って側面側に収納移動又は側面側より吊り張り移動することを特徴とする屋内空間部用のネット又はシートの移動方法。
【請求項３】
前記吊り張り用ロープ体を天井面より昇降移動自在に取り付けられた長尺体を介して取り付けることで、天井面側に前記ネット体又はシート体を収納移動することを特徴とする請求項２に記載の屋内空間部用のネット又はシートの移動方法。
【発明の詳細な説明】
【技術分野】
【０００１】本願発明は、主に天井面の高さ位置の相違する屋内練習施設を含む屋内空間部を利用して各種の競技を行う際に、該屋内空間部を２分割、３分割等間仕切りする際に間仕切り用として使用する、又は屋内空間部の側面に沿って防球用として使用する屋内空間部用のネット又はシート、及び該屋内空間部用のネット又はシートの移動方法に関する。
【背景技術】
【０００２】従来、各種の競技で屋内空間部（メインアリーナ、サブアリーナ等を有する屋内施設）を使用する場合、又は人工芝の設けられた屋内練習施設としての屋内空間部を使用する場合は、ネット体を屋内空間部内に吊り張りすることで該屋内空間部を２分割、又は３分割等に間仕切りして使用している。【０００３】また、屋内空間部をバレーボール、フットサル、野球等の球技で使用する場合、該屋内空間部の側面に沿ってネット体を吊り張りすることで球技の防球用として使用している。【０００４】前記間仕切り用のネット体は、前記ネット体の上端側を高さ位置の相違する天井側に設けた棒状体、又は複数本の吊り張り用ロープ体に直接取り付けることで吊り張りしている。【０００５】同様に、前記防球用のネット体も、前記ネット体の上端側を高さ位置の相違する天井側に設けた棒状体、又は複数本の吊り張り用ロープ体に取り付けることで側面に沿って吊り張りしている。【０００６】前記間仕切り用のネット体、又は防球用のネット体は、屋内空間部を広く開放して使用する際（不使用時）は天井側に移動することで収納する。【０００７】前記各ネット体の移動は、前記吊り張り用ロープ体又は棒状体を床面側に移動した後、前記ネット体を折り畳んで紐状体で固定し、天井側に移動することで収納する。【０００８】又は、前記ネット体の上下方向に沿って別体の移動用ロープ体を取り付け、該移動用ロープ体を巻き取り移動することで、ネット体を吊り張り移動し、又は前記移動用ロープ体を引き出し移動することで床面側に前記ネット体を移動し取り外すことで収納する。【０００９】又は、前記高さ位置の相違する天井面の傾斜角度に応じて形成された固定用のネット体と、その下方側で水平方向に沿って並行移動する開閉用のネット体とから構成され、下方側の開閉用のネット体のみ側面側に移動して空間部を開放する。
【発明が解決しようとする課題】
【００１０】しかしながら上記従来のネット体はその上端側に取り付けた棒状体に直接固定状態で取り付けられているために、天井面の高さ位置の相違によるネット体の上下方向の長さの相違により、その折り畳み工程が適切に折り畳めなく、このため前記棒状体への巻き付けた状態での取り付け工程も煩雑であるという欠点があった。
【００１１】また、上記のように、ウインチを用いてネット体を天井側に移動して収納する移動方法は、頻繁に屋内空間部の使用の変更がある場合に、その都度天井面より床面側に移動して吊り張り、又は天井面側に収納移動する必要があり、その作業が煩雑であるという欠点があった。
【００１２】また、上記のような頻繁に変更作業を行う場合は、安全性の面で頻繁なメンテナンス作業を必要とするという欠点があった。
【００１３】また、高さ位置の相違する天井面に複数枚のネット体で間仕切り等すると、天井側は固定用のネット体を用いて間仕切り等し、下方側のみ開閉移動するために、天井側を完全に開放することができないという欠点があった。
【００１４】さらに、床面側が人工芝を用いた場合、ネット体の下端側が芝目に絡んでスムーズにネット体を移動することができない問題点があった。
【００１５】そこで、本願発明は、屋内空間部をスムーズにネット体又はシート体で間仕切り等することができ、且つ安全に収納することができる屋内空間部用のネット又はシート、及び該屋内空間部用のネット又はシートの移動方法を提供することを課題とする。
【課題を解決するための手段】
【００１６】本願発明の上記課題を解決する手段としての屋内空間部用のネット又はシートは、請求項１に記載のように、屋内空間部に間仕切り用又は防球用を目的として吊り張りすべく天井面より床面側への形状に応じて形成されるネット体又はシート体と、該ネット体又はシート体の上端側を吊り張りする吊り張り用ロープ体とから構成される屋内空間部用のネット又はシートにおいて、前記吊り張り用ロープ体が高さ位置の相違する天井面の傾斜角度に応じて架け渡され、且つ前記ネット体又はシート体が、その上端側を高さ位置の相違する天井面の傾斜角度に応じて形成された一枚のネット本体又はシート本体と、前記ネット本体又はシート本体に設けられ移動時前記ネット本体又はシート本体の上端側の高さ位置の相違よりその下端側に生じる前記ネット本体又はシート本体の弛み部分を束ねる束ね手段とから構成されていることを特徴とする。
【００１７】また、本願発明の上記課題を解決する手段としての屋内空間部用のネット又はシートの移動方法は、請求項２に記載のように、屋内空間部を間仕切り又は防球すべく天井面より床面側への吊り張り面の形状に応じてネット体又はシート体を形成し、前記ネット体又はシート体の上端側に沿って吊り張り用ロープ体を架け渡した後、前記ネット体又はシート体を移動することで収納する屋内空間部用のネット又はシートの移動方法において、前記ネット体又はシート体を高さ位置の相違する天井面の傾斜角度に応じて一枚のネット本体又はシート本体より形成し、前記天井面の傾斜角度に応じて吊り張り用ロープ体を架け渡すとともに、前記ネット体又はシート体を前記吊り張り用ロープ体に沿って移動自在に吊り張りした後、前記ネット体又はシート体の上端側の高さ位置の相違よりその下端側に生じる弛み部分を束ねて調整しながら前記吊り張り用ロープ体に沿って側面側に収納移動又は側面側より吊り張り移動することを特徴とする。
【００１８】さらに、本願発明の上記課題を解決する手段としての屋内空間部用のネット又はシートの移動方法は、請求項３に記載のように、請求項２において、前記吊り張り用ロープ体を天井面より昇降移動自在に取り付けられた長尺体を介して取り付けることで、天井面側に前記ネット体又はシート体を収納移動することを特徴とする。
【発明の作用効果】
【００１９】本願発明の屋内空間部用のネット又はシート、及び該屋内空間部用のネット又はシートの移動方法の作用効果について説明する。
【００２０】本願発明の請求項１に記載の屋内空間部用のネット又はシートは、屋内空間部の高さ位置の相違する天井面の傾斜角度に応じて架け渡した吊り張り用ロープ体と、上端側を高さ位置の相違する天井面の傾斜角度（天頂部側が側面側より高い、又は円弧面等）に応じて形成したネット本体又はシート本体と、前記ネット本体又はシート本体に設けられた束ね手段とから構成されている。
【００２１】前記吊り張り用ロープ体は、天井面の傾斜角度に応じて架け渡すことができ、複数本の吊り張り用ロープ体を使用することで、あらゆる傾斜角度を有する形状の天井面に対応することができる。
【００２２】即ち、一方向の側面側のみに沿って架け渡す場合は、その傾斜角度に応じて１本の吊り張り用ロープ体を架け渡し、天頂部（天井面の中央部分）より両側面側に傾斜角度を有する場合は、２本の吊り張り用ロープ体を天頂部から側面側にそれぞれ架け渡すことで対応する。
【００２３】前記ネット体又はシート体は、その上端側を一枚のネット本体又はシート本体で高さ位置の相違する天井面の傾斜角度に応じて形成し、下端側は床面側の水平を維持して形成（下端側に隙間部分をなくすために下端側には多少の弛み部分（移動時に障害のない範囲）が形成されている）されるために、あらゆる形状の空間部に対して自在にネット体又はシート体を形成することができる。
【００２４】また、前記ネット体又はシート体は前記吊り張り用ロープ体に沿って側面側に移動して空間部を開放、側面側より移動して空間部を閉塞することができるので、その開閉移動が容易に行える。
【００２５】しかも、収納移動する際、前記ネット体又はシート体の上端側の高さ位置の相違よりその下端側に生じる弛み部分を束ね手段を用いて上方に適切に束ねることで、前記高さ位置の相違する天井面の傾斜角度による前記ネット体又はシート体の下端側の水平状態を適切に維持し、床面側での前記弛み部分による、摩擦、人工芝への引っかかり等を解消し、確実に収納移動を行うことができる。
【００２６】同様に、前記ネット体又はシート体を吊り張り移動する際も、予め前記ネット体又はシート体の下端側の弛み部分を束ね手段で束ねて床面との水平状態を維持し、前記と同様に弛み部分で生じる摩擦、人工芝への引っかかり等を解消して移動した後、束ね手段を解除することで、同様に前記吊り張り用ロープ体に沿って前記ネット体又はシート体をスムーズに吊り張り移動することができる。
【００２７】このように、本願請求項１に記載の屋内空間部用のネット又はシートは、高さ位置の相違する天井面を有する屋内空間部に適切に吊り張りすることができ、また、確実に収納及び吊り張り移動することができるので、安全に屋内空間部を間仕切り等することができる。
【００２８】また、吊り張り用ロープ体を高さ位置の相違する天井面に適切に架け渡すことで、容易にネット体又はシート体を吊り張りでき、従来のような頻繁なメンテナンス作業を必要としない。
【００２９】特に、ネット体又はシート体を側面側に移動することで、ネット体又はシート体を適切に収納することができ、ネット体又はシート体の移動時の摩耗をさらに削減することができる。
【００３０】次に、本願請求項２に記載の屋内空間部用のネット又はシートの移動方法は、屋内空間部の高さ位置の相違する天井面の傾斜角度に応じて一枚のネット本体又はシート本体の上端側を形成する。
【００３１】これにより、あらゆる形状の天井面の傾斜角度に応じて自在に一枚のネット本体又はシート本体で形成することができ、確実な間仕切り又は防球用として使用することができる。
【００３２】次に、前記天井面の傾斜角度に応じて吊り張り用ロープ体を架け渡すとともに、前記ネット体又はシート体を前記吊り張り用ロープ体に沿って移動自在に取り付ける。
【００３３】前記ネット体又はシート体は間仕切り又は防球用として使用する際は、前記吊り張り用ロープ体に沿って天井面の傾斜角度に応じて間仕切り等の方向に沿って移動して使用し、収納する際は側面側に収納移動することで屋内空間部を開放する。
【００３４】この際、天井面の高さ位置の相違に応じて前記ネット体又はシート体が形成されているために、移動時にその上端側に高さ位置の相違に対応する下端側に弛み部分が発生するが、前記ネット体又はシート体の下端側の弛み部分を束ねることで床面との水平状態を調整でき、スムーズに床面側に沿って前記ネット体又はシート体を側面側に収納移動、及び側面側より吊り張り移動することができる。
【００３５】このように、本願請求項２に記載の屋内空間部用のネット又はシートの移動方法は、高さ位置の相違する天井面の傾斜角度に応じて一枚のネット本体又はシート本体で形成されているために、その形成が容易であり、その取り付けも容易に行うことができる。
【００３６】また、吊り張り用ロープ体に沿って前記ネット体又はシート体をスムーズに収納移動又は吊り張り移動することができ、安全に間仕切り等として使用することができる。
【００３７】さらに、相違する天井面に沿って吊り張り用ロープ体を架け渡すとともに、ネット体又はシート体を形成するために、作業工程が少なく安全に作業することができる。
【００３８】さらに、本願請求項３に記載の屋内空間部用のネット又はシートの移動方法は、前記請求項２に記載の構成に、さらに、前記吊り張り用ロープ体を高さ位置の相違する天井面の傾斜角度に沿って架け渡す際、前記天井面より昇降移動自在に取り付けられた長尺体（本願発明における長尺体は平らな板状体、円筒形状の棒状体等その断面形状は任意に設定した長尺状を示す）を介して取り付けている。
【００３９】これにより、長期的な前記ネット体又はシート体を収納する場合は、前記長尺体を床面に移動して前記ネット体又はシート体を束ね、再度天井面側に移動することで適切に収納移動することができる。
【００４０】このように、本願請求項３に記載の屋内空間部用のネット又はシートの移動方法は、ネット体又はシート体の側面側以外の収納方法を提供することで、屋内空間部の使用目的に応じたより確実で、安全なネット体又はシート体の収納移動をすることができる。
【００４１】しかも、目的に応じて適切な収納移動を選択することができる。
【発明を実施するための最良の形態】
【００４２】本願発明の屋内空間部用のネット又はシート及び該屋内空間部用のネット又はシートの移動方法について図面を用いて説明する。【００４３】図１は本願発明の屋内空間部用のネット又はシートの一実施例を示す概略説明正面図であり、図２は図１の弛み部分を束ねた状体を示す概略説明正面図であり、図３は側面側へのネット体又はシート体の収納状態を示す概略説明正面図であり、図４及び図５は本願発明の屋内空間部用のネット又はシートの他実施例を示す概略説明正面図である。【００４４】図６及び図７は本願発明の屋内空間部用のネット又はシートの移動方法を示すフローチャートである。【００４５】本願発明の屋内空間部用のネット１（又はシート１）は、上端側を屋内空間部の高さ位置の相違する天井面の傾斜角度に応じて形成し、下端側を床面側の水平方向に沿って形成されたネット体２（又はシート体２）と、前記傾斜角度に沿って架け渡された吊り張り用ロープ体３と、前記ネット体２に高さ位置を有する側面側に取り付けられた移動用及び収納用の束ね手段として束ね用紐状体４とから構成されている。【００４６】前記ネット体２は、矩形状のネット本体２Ａの上端側を高さ位置の相違する天井面の傾斜角度に応じて形成（通常矩形状のネット本体２Ａをカットして形成）し、下端側を床面に沿って水平方向に形成した後、上下方向及び左右方向の各辺に沿ってそれぞれ補強用ロープ体（図示せず）を取り付けることで形状が維持されている。【００４７】前記ネット体２には、前記ネット本体２Ａの上端側の補強用ロープ体を利用して、又は直接前記ネット本体２Ａの上端側に所望の間隔で複数個の移動用リング環２Ｄが取り付けられている。【００４８】尚、前記ネット体２を形成する際、カットされた残りの前記ネット本体部分は逆方向（天井面の傾斜角度の逆方向）で吊り張り用ロープ体３の位置に沿って天井面に取り付けることで、防球用として使用する垂れネット体６として使用することができ、ネット本体２Ａの無駄を省くことも可能である。【００４９】前記吊り張り用ロープ体３は高さのある天井面側より低い位置の側面側に沿って架け渡すことで、前記ネット体２を移動自在に取り付けできる。【００５０】前記吊り張り用ロープ体３に取り付けられた前記ネット体２は、その大きさ（面積）により、大面積の場合はウインチ等を用いて移動、小さい場合は手動式で前記吊り張り用ロープ体３に沿って移動する構成とする。【００５１】前記束ね手段としての束ね用紐状体４は、前記ネット体２の高さ位置の下端側に取り付けられ、前記ネット体２の収納移動する際、高さ位置の相違による前記ネット体２の上端側の高さ位置の相違（Ｌ）より側面側の下方側に移動した際生じる前記ネット体２の下端側の弛み部分２０を上方に持ち上げ、床面との水平状態を維持し床面との接触部分を少なくして、スムーズに収納移動することができる。【００５２】尚、前記束ね用紐状体４を取り付けたネット体２の下端側よりリング環（図示せず）を取り付けることで、前記束ね用紐状体４をリング環に挿通して、前記高さ位置の相違（Ｌ）より生じる弛み部分２０を上方側に容易に持ち上げることも可能である。【００５３】尚、上記実施例において、束ね手段を束ね用紐状体４に限定されるものでなく、例えば、略Ｓ字状の係止体で弛み部分２０を持ち上げることも可能であり、さらに、人による持ち上げも可能である。【００５４】また、上記実施例では、前記ネット体２は一方向にのみ取り付けたが、本願発明において、ネット体２の取り付け方向は一方向に限定されるものでなく、屋内空間部の天頂部より、両側面側にそれぞれ取り付け、左右開閉移動することも可能であり、また、同一方向に複数枚吊り張りすることも可能である。【００５５】本願発明の屋内空間部用のネット１は上記のように構成され、次に、該屋内空間部用のネット１を屋内空間部の間仕切り用として使用する場合について説明する。【００５６】先ず、屋内空間部の天井面の高さ位置の相違する間仕切り面に応じて、天井側より側面側に沿って吊り張り用ロープ体３を架け渡し、前記間仕切り面に応じて略同形状に一枚のネット本体２Ａより形成し、各辺に沿って補強用ロープ体を取り付けるとともに、前記上端側の補強用ロープ体を利用して移動用リング環２Ｄを所望の間隔で複数個とりつけることでネット体２を形成する。【００５７】次に、前記ネット体２を前記吊り張り用ロープ体３に沿って移動自在に取り付ける。【００５８】この際、前記ネット体２は高さ位置の相違する天井面の傾斜角度に沿って移動するために、天井側の高い位置より、側面側の低い位置に移動すると、前記ネット体２の上端側に高さ位置の相違（Ｌ）によりその下端側に弛み部分が発生する。【００５９】そこで、前記ネット体２の高さ位置に応じた下端側に束ね手段としての束ね用紐状体４を用いて前記ネット体２の下端側の弛み部分２０を調整（移動距離に応じて発生する弛み部分２０の量の調整）しながら束ねて床面との水平状態を維持し、移動時の前記ネット体２の下端側の床面との接触面積を削減することでスムーズに側面側に収納移動、及び側面側より、スムーズに吊り張り移動することができる。【００６０】このように、本願発明の屋内空間部用のネット１は、高さ位置の相違する天井面に沿ってネット体２をスムーズに移動することができ、屋内空間部の適切な間仕切り又は防球用として使用することができる。【００６１】また、ネット体２の移動がスムーズに行えるので、特に床面側に人工芝を用いた球技用の屋内空間部において、芝に接触するネット体２の網目部分が少なく、移動を容易に行うことができ、ネット体２の摩耗の削減を図ることができる。【００６２】尚、上記実施例においてはネット体２を使用したが本願発明において、ネット体２に限定されるものでなく、シート体（網目の詰まった状態の布体の総称）２を使用することも可能である。【００６３】この場合もネット体２と同様に下端側の弛み部分２０を束ねることで、床面との接触面積を削減できスムーズな収納移動及び吊り張り移動することができる。【００６４】又、上記実施例では吊り張り用ロープ体３を高さ位置の相違する天井面の傾斜角度に応じて直接架け渡したが、本願発明において、前記吊り張り用ロープ体３の天井面への取り付け方法はこれに限定されるものでなく、天井面より複数本の昇降移動する（ウインチを用いて）ロープ体１０に連結され、前記高さ位置の相違する天井面の傾斜角度沿って設けられた棒状体１１に間接的に前記吊り張り用ロープ体３を取り付けることも可能である。【００６５】前記棒状体１１に取り付けられた吊り張り用ロープ体３に沿って上記と同様にネット体２を左右方向に吊り張り移動及び収納移動するとともに、前記棒状体１１に前記束ね用紐状体４を用いて前記ネット体２を巻き付ける、又は束ねることで収納し、天井面側に前記棒状体１１とともに移動して収納することも可能である。【００６６】特に、長期的にネット体２を使用しない場合は、天井側に収納移動することで、屋内空間部をより広く開放することができる。【００６７】このように、前記棒状体１１を用いることで、ネット体２の収納移動を昇降移動、又は左右移動かを選択して最適な収納移動を行うことができる。【００６８】即ち、一定期間以上ネット体２を収納する場合は、天井面側に移動して収納することで、屋内空間部を広く開放することができ、一時的にネット体２を収納する場合は、側面側に移動して収納することで、再度容易にネット体２を吊り張り移動することができる。
【図面の簡単な説明】
【００６９】
【図１】本願発明の屋内空間部用のネット又はシートの一実施例を示す概略説明正面図
【図２】図１の弛み部分を束ねた状態を示す概略説明正面図
【図３】側面側へのネット体又はシート体の収納状態を示す概略説明側面図
【図４】本願発明の屋内空間部用のネット又はシートの他実施例を示す概略説明正面図
【図５】本願発明の屋内空間部用のネット又はシートの他実施例を示す概略説明平面図
【図６】本願発明の屋内空間部用のネット又はシートの移動方法のフローチャート
【図７】本願発明の屋内空間部用のネット又はシートの移動方法のフローチャート
【符号の説明】
【００７０】１−屋内空間部用のネット又はシート、２−ネット体、３−吊り張り用ロープ体、４−束ね用紐状体
【図１】
2020151460.tif 000003
【図２】
2020151460.tif 000004
【図３】
2020151460.tif 000005
【図４】
2020151460.tif 000006
【図５】
2020151460.tif 000007
【図６】
2020151460.tif 000008
【図７】
2020151460.tif 000009
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
屋内空間部に間仕切り用又は防球用を目的として吊り張りすべく天井面より床面側への吊り張り面の形状に応じて形成されるネット体又はシート体と、該ネット体又はシート体の上端側を吊り張りする吊り張り用ロープ体とから構成される屋内空間部用のネット又はシートにおいて、前記吊り張り用ロープ体が高さ位置の相違する天井面の傾斜角度に応じて天井面より側面側に沿って架け渡され、且つ前記ネット体又はシート体が、その上端側を高さ位置の相違する天井面の傾斜角度に応じて形成された一枚のネット本体又はシート本体と、前記ネット本体又はシート本体に設けられ移動時に前記ネット本体又はシート本体の上端側の高さ位置の相違によりその下端側に生じる前記ネット本体又はシート本体の弛み部分を上方に束ねる束ね手段とから構成されていることを特徴とする屋内空間部用のネット又はシート。
【請求項２】
屋内空間部を間仕切り又は防球すべく天井面より床面側への吊り張り面の形状に応じてネット体又はシート体を形成し、前記ネット体又はシート体の上端側に沿って吊り張り用ロープ体を架け渡した後、前記ネット体又はシート体を移動することで収納する屋内空間部用のネット又はシートの移動方法において、前記ネット体又はシート体を高さ位置の相違する天井面の傾斜角度に応じて一枚のネット本体又はシート本体より形成し、前記天井面の傾斜角度に応じて天井面より側面側に沿って吊り張り用ロープ体を架け渡すとともに前記ネット体又はシート体を前記吊り張り用ロープ体に沿って移動自在に吊り張りした後、前記ネット体又はシート体の上端側に高さ位置の相違よりその下端側に生じる弛み部分を上方に束ねて調整しながら前記吊り張り用ロープ体に沿って側面側に収納移動又は側面側より吊り張り移動することを特徴とする屋内空間部用のネット又はシートの移動方法。
【手続補正２】
【補正対象書類名】明細書
【補正対象項目名】００１６
【補正方法】変更
【補正の内容】
【００１６】本願発明の上記課題を解決する手段としての屋内空間部用のネット又はシートは、請求項１に記載のように、屋内空間部に間仕切り又は防球用を目的として吊り張りすべく天井面より床面側への形状に応じて形成されるネット体又はシート体と、該ネット体又はシート体の上端側を吊り張りする吊り張り用ロープ体とから構成される屋内空間部用のネット又はシートにおいて、前記吊り張り用ロープ体が高さ位置の相違する天井面の傾斜角度に応じて天井面より側面側に沿って架け渡され、且つ前記ネット体又はシート体が、その上端側を高さ位置の相違する天井面の傾斜角度に応じて形成された一枚のネット本体又はシート本体と、前記ネット本体又はシート本体に設けられ移動時前記ネット本体又はシート本体の上端側の高さ位置の相違よりその下端側に生じる前記ネット本体又はシート本体の弛み部分を上方に束ねる束ね手段とから構成されていることを特徴とする。
【手続補正３】
【補正対象書類名】明細書
【補正対象項目名】００１７
【補正方法】変更
【補正の内容】
【００１７】また、本願発明の上記課題を解決する手段としての屋内空間部用のネット又はシートの移動方法は、請求項２に記載のように、屋内空間部を間仕切り又は防球すべく天井面より床面側への吊り張り面の形状に応じてネット体又はシート体を形成し、前記ネット体又はシート体の上端側に沿って吊り張り用ロープ体を架け渡した後、前記ネット体又はシート体を移動することで収納する屋内空間部用のネット又はシートの移動方法において、前記ネット体又はシート体を高さ位置の相違する天井面の傾斜角度に応じて一枚のネット本体又はシート本体より形成し、前記天井面の傾斜角度に応じて天井面より側面側に沿って吊り張り用ロープ体を架け渡すとともに、前記ネット体又はシート体を前記吊り張り用ロープ体に沿って移動自在に吊り張りした後、前記ネット体又はシート体の上端側の高さ位置の相違よりその下端側に生じる弛み部分を上方に束ねる調整しながら前記吊り張り用ロープ体に沿って側面側に収納移動又は側面側より吊り張り移動することを特徴とする。
【手続補正４】
【補正対象書類名】明細書
【補正対象項目名】００１８
【補正方法】削除
【補正の内容】
【手続補正５】
【補正対象書類名】明細書
【補正対象項目名】００２１
【補正方法】変更
【補正の内容】
【００２１】前記吊り張り用ロープ体は天井面の傾斜角度に応じて天井面より側面側に沿って架け渡すことができ、複数本の吊り張り用ロープ体を使用することで、あらゆる傾斜角度を有する形状の天井面に対応することができる。
【手続補正６】
【補正対象書類名】明細書
【補正対象項目名】００３２
【補正方法】変更
【補正の内容】
【００３２】次に、前記天井面の傾斜角度に応じて天井面より側面側に沿って吊り張り用ロープ体を架け渡すとともに、前記ネット体又はシート体を前記吊り張り用ロープ体に沿って移動自在に取り付ける。
【手続補正７】
【補正対象書類名】明細書
【補正対象項目名】００３４
【補正方法】変更
【補正の内容】
【００３４】この際、天井面の高さ位置の相違に応じて前記ネット体又はシート体が形成されているために、移動時にその上端側に高さ位置の相違に対応して下端側に弛み部分が発生するが、前記ネット体又はシート体の下端側の弛み部分を上方に束ねることで床面との水平状態を調整でき、スムーズに床面側に沿って前記ネット体又はシート体を側面側に収納移動、及び側面側より吊り張り移動することができる。
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】削除
【補正の内容】